(57)【要約】      （修正有）【課題】  商品にＦＲＩＤタグを随伴させる場合に、ブランドタグと呼ばれる現在使用している表示札２の仕様を変更することなく、商品の表示札の近傍に、ＲＦＩＤタグを配置することができる糸止め部材を提供する。【解決手段】  商品に取り付ける表示札２を吊り下げる糸状体３の中間に配置する糸止め部材４において、ＩＣチップを基板に設けた貫通穴に嵌め込むと共に、アンテナとなる導電性線材を前記基板の外周側端面に巻き付けて形成し、その大きさを２５ｍｍφ以下の円内に納めて形成したＲＦＩＤタグを埋め込んで構成される。【選択図】  図６
2006078980.tif 000002
【特許請求の範囲】
【請求項１】
商品に取り付ける表示札を吊り下げる糸状体の中間に配置する糸止め部材において、大きさを２５ｍｍφ以下の円内に納めて形成したＲＦＩＤタグを埋め込んだことを特徴とする糸止め部材。
【請求項２】
前記ＲＦＩＤタグを、ＩＣチップを基板に設けた貫通穴に嵌め込むと共に、アンテナとなる導電性線材を前記基板の外周側端面に巻き付けて形成したことを特徴とする請求項１記載の糸止め部材。
【請求項３】
大きさを２５ｍｍφ以下の円内に納めて形成したＲＦＩＤタグを埋め込んだ糸止め部材を、商品に取り付ける表示札を吊り下げる糸状体の中間に配置し、前記ＲＩＦＤタグと前記表示札の内容を連動させてそのデータの出入力により、該糸止め部材を取り付けた商品の管理を行う商品管理方法。
【発明の詳細な説明】
【技術分野】
【０００１】
本発明は、商品に表示札を吊り下げる糸状体の中間に配置する糸止め部材等に関し、より詳細には、ＲＦＩＤタグを埋め込んで、商品に関する情報を有し、表示札とは別に、非接触でデータ通信ができる糸止め部材と商品管理方法に関する。
【背景技術】
【０００２】
近年、ＲＦＩＤ（Radio Frequency Identification) タグの小型化及び低価格化が進み、非接触でデータ通信を行い、物流におけるデータ管理を効率化する試みがなされている。このＲＦＩＤタグは、無線ＩＣタグとも呼ばれ、ＩＣ（集積回路）チップとアンテナからなり、用途や設置場所によって、「ラベル型」「カード型」「箱型」「ステック型（棒状型）」「円筒型」「円板型」などさまざまな形状に形成されている。
【０００３】
そして、バーコードとは異なり、電波の届く範囲であれば、向きがどの方向を向いていても、非接触でデータの入出力が可能なため、読み取り作業の手間が省けるという利点や、大容量のデータの記憶が可能であるため、バーコードとは比較にならない程多くの情報量を保持でき、価格のみならず、履歴やその他の情報を記録できるという利点がある。
【０００４】
このＲＦＩＤタグは，ＩＣチップ自体は３ｍｍ角以下であるが、導電性線材をコイル状に形成したアンテナ部分が必要であり、マッチ棒サイズから名刺サイズまで多様な形状が考えられている。
【０００５】
そして、小売店などでは商品に値段情報などを記録したＲＦＩＤタグを装着することで、レジ清算時に買い物かごの中のＲＦＩＤタグを読み取ることによりレジ作業の効率を図ろうとしている。特に、マルチアクセスタイプのＲＦＩＤタグを使用する時は略同時に一括して読み取ることができるので、著しくスピードアップを図れる。また、在庫の棚卸しの自動化にもおおいに役立つ。
【０００６】
そのため、商品管理において、図１０に示すように、商品の名称、サイズ、価格等を表示する表示札２に、ＩＣチップを貼り付けることが提案されている。この表示札２は、係合雄部３ａと係合雌部３ｂの係合によりフィラメント（あるいは糸や紐）３ｃのループを形成する糸状体３によって商品に吊り下げられる。
【０００７】
この一つに、矩形状のラベル基材の角部にアンテナパターンを印刷し、このアンテナパターン端子に装着して非接触ＩＣタグ（ＲＦＩＤタグ）を貼着すると共に、非接触ＩＣタグのメモリーに記録された情報と同一情報の全部または一部を文字やバーコードなどを使用してラベル本体基材表面の可視的表示部に表示したラベルが提案されている。このラベルでは、この構成によりリーダライターが無い時でも情報を認識でき、読み取りの不便や情報の不一致を解消している（例えば、特許文献１参照。）。  
【０００８】
また、ＩＣを内蔵した値札において、ＩＣ内部の商品情報を書き換え可能にして、小売現場における価格情報や店舗情報を入力可能にした値札が提案されている。この値札は、再利用性を考慮してＩＣチップ部分を値札表示部と分離可能に構成することが好ましいとされ、主に接着により商品に取り付けるものとしている（例えば、特許文献２参照。）。
【０００９】
更に、商品の価格を表示して商品に付ける値札において、ＲＦＩＤタグを外部から視覚によって認識できないように内部に設けた値札が提案されている（例えば、特許文献３参照。）。
【００１０】
しかしながら、アパレル（衣料品製造業）業界では、この表示札は、顧客が手にすることが多く、しかも、手にする時は、購買心が生じた場合であることが多い。そのため、高級商品に取り付ける表示札は、デザインタグと呼ばれるほど、そのデザインに関しては非常に注意深く作成されるのが通常であり、視覚的な印象に停まらず、手触りの良さ等の触覚的な印象も重要視される。従って、形状、大きさ、厚さのみならず、紙質等に対してまで非常に細かい神経を使って作成されている。
【００１１】
従って、この表示札の形状や質感などを変更することに対しては、著しい抵抗感を持っている。そのため、表示札の裏側などに一部にＩＣチップを貼り付けることは、見栄えの点から嫌われる。また、次善の策として表示札の裏側全面に貼り付けると厚さが増す上に、ＩＣチップ部分やコイル部分に厚みの変化があるため、手触り感が悪くなるという問題が生ずる。
【００１２】
また、一方で、表示札は販売用の手段でもあり、各社によっても、商品の種類によっも、その形状や大きさが異なり、それに合わせて、ＲＦＩＤタグの大きさを合わせるのは、非常に多様な形状のＲＦＩＤタグを揃える必要が生じ、製造のみならず、在庫管理が複雑となるという問題がある。
【００１３】
そのため、表示札はそのままにして、図１１に示すように、細長い短冊状をしたＲＦＩＤタグを内蔵した短冊５を、従来の表示札２と共に吊り下げることも考えられている。このＲＦＩＤタグ内蔵短冊５は、ＩＣ，電子部品からなる回路基板であるＩＣチップを樹脂ケースで覆い、短冊状の板に形成している。そして、アンテナ部となるコイルをこの短冊状の辺に沿わせて巻いて形成している。
【００１４】
しかしながら、商品展示の観点からは、従来は用いられていないＲＦＩＤタグ内蔵短冊を付けることは、表示札のデザインとのマッチングが乱れ、見栄えが悪化するという問題や、取り付けの手間の問題が生じる。
【００１５】
一方、アパレル（衣装製造業）の業界等では、スーツ、ジャケット、コート等の重衣料等の比較的高級な商品において、表示札を吊り下げる際に、吊り下げる糸や紐の体裁を見栄え良くするためと、糸や紐の長さを調整するために、図６及び図７に示すように、ブランドを表示した円形や長方形等のさまざまなデザインの糸止め部材４を表示札２を吊り下げる糸や紐等の糸状体３の中間に配設することが行われている。
【００１６】
この糸止め部材は、アパレル業界などで「メタル」と言う総称表現で呼ばれているものである。この糸止め部材は、ブランドイメージを高めるためのアクセサリーであり、商品にブランドタグ（表示札）を取り付ける糸や紐等の高級感を演出するためのブランド表示部材もというべき商材である。
【００１７】
以前は、押し型で作られた金属製のフレームのものが主流で内側にブランドマークが表現されていたものが多かったが、最近ではプラスチックの材質のものが圧倒的に多くなっている。なお、プラスチックの場合には、金属製の「メタル」と区別するために「プラスチックメタル」と呼称する場合もある。
【００１８】
そして、ブランドマークに関しては、ブランドマーク自体もデザインされた型抜きの成型で形成する場合もあるが、型代等が高価であるため、最近では、ブランドマークが印刷されたシール等を貼り付ける紙張りのものが増えている。
【００１９】
この糸止め部材は、表示札に比べて著しく小さく、通常は外径が２５ｍｍφ程度の円内に納まるものが多い。そのため、表示札に比べて著しく外形が小さく、また、安価な商品に対しては、この糸止め部材は用いられてないことも多いので、従来は、ＦＲＩＤタグの配置対象から除外されていた。
【００２０】
しかしながら、この糸止め部材の厚みは通常は６ｍｍ〜３ｍｍ程度であり、表示札に比べれば相当厚く、その上、通常は、合成樹脂で形成されることが多く、ＦＲＩＤタグを埋め込むための凹部も形成し易いので、ＦＲＩＤタグを小さく、また、ブランド表示部材のデザイン性を損なわない程度の厚みに形成できれば、ＦＲＩＤタグの配置対象となると考えられる。
【特許文献１】特開平２００２−１２３８０５号公報
【特許文献２】特開平２００３−８４６６９号公報
【特許文献３】特開平２００２−１３３５１８号公報
【発明の開示】
【発明が解決しようとする課題】
【００２１】
本発明は、上記の知見を得て、前記した問題を解決するためになされたものであり、その目的は、商品にＦＲＩＤタグを随伴させる場合に、ブランドタグと呼ばれる現在使用している表示札の仕様を変更することなく、商品の表示札の近傍に、ＲＦＩＤタグを配置することができる糸止め部材を提供することにある。
【００２２】
また、もう一つの目的は、商品の見栄えを悪くすることなく、ＲＦＩＤタグの出入力によるデータ管理を行うことができる商品管理方法を提供することにある。
【課題を解決するための手段】
【００２３】
上記のような目的を達成するための糸止め部材は、商品に取り付ける表示札を吊り下げる糸状体の中間に配置する糸止め部材において、大きさを２５ｍｍφ以下の円内に納めて形成したＲＦＩＤタグを埋め込んで構成される。
【００２４】
この糸止め部材は、ブランドイメージを高めるためのアクセサリーであり、アパレル業界などで「メタル」や「プラスチックメタル」と言う総称表現で呼ばれているものである。この糸止め部材は、表示札を吊り下げる際に、吊り下げる糸や紐の体裁を見栄え良くするためと、糸や紐の長さを調整するために使用され、商品にブランドタグ（表示札）を取り付ける糸や紐等の高級感を演出するためのもので、ブランド表示部材もというべき商材である。そして、ブランドを表示した円形や長方形等のさまざまなデザインで形成され、表示札を吊り下げる糸や紐等の糸状体の中間に配設される。なお、本発明では、必ずしも、ブランドを表示するものに限定せず、表示札と商品を結ぶ吊り下げ用の糸状体の、表示札と商品の間に配置され、糸状体が形成するループの始点となるように２本の糸状体を近接して固定する部材であればよい。
【００２５】
この糸止め部材は外形が小さく通常は、ＲＦＩＤタグの大きさから、ＲＦＩＤタグを配置することがためらわれるが、本発明では、ＲＦＩＤタグの大きさをアンテナ部分を小さくすることにより、２５ｍｍφ以下、好ましくは１８ｍｍφ以下にして配置する。また、好ましくは、厚さを２ｍｍ以下に形成する。
【００２６】
そして、糸止め部材自体は共通の型を使用して製造し、このブランド表示部材の凹部にＲＦＩＤタグを埋め込み、その上に各社毎にブランドデザインされた紙（シール）を張って、ＲＦＩＤタグを内蔵した糸止め部材とする。
【００２７】
そして、上記の糸止め部材において、前記ＲＦＩＤタグを、ＩＣチップを基板に設けた貫通穴に嵌め込むと共に、アンテナとなる導電性線材を前記基板の外周側端面に巻き付けて形成すると、このＲＦＩＤタグの厚みを薄くできる。即ち、従来技術のように、基板の上に、ＩＣチップやアンテナ部を配置しないので、ＲＦＩＤタグの厚みをＩＣチップの厚みかあるいはアンテナとなる導電性線材の太さにすることができる。
【００２８】
なお、通常は、この両面に合成樹脂で形成されたラミネートフィルムを貼り付けて、ＩＣチップ、アンテナ部、基板を固定すると共に保護する。
【００２９】
また、上記のような目的を達成するための商品管理方法は、大きさを２５ｍｍφ以下の円内に納めて形成したＲＦＩＤタグを埋め込んだ糸止め部材を、商品に取り付ける表示札を吊り下げる糸状体の中間に配置し、前記ＲＩＦＤタグと前記表示札の内容を連動させてそのデータの出入力により、該糸止め部材を取り付けた商品の管理を行うことを特徴とする。
【発明の効果】
【００３０】
本発明に係る糸止め部材によれば、従来からその厚みが２ｍｍ以上のものが多いので、ＲＦＩＤタグを内蔵しても厚みの増加を抑制でき、また、厚みの増加が表示札等と比べて気になり難い部材ではあるので、見栄えが悪化するという問題が生じない。
【００３１】
また、ＲＦＩＤタグの厚みが多少厚くても、また、糸止め部材の形状と多少異なっても、従来の糸止め部材は比較的大きく、２５ｍｍφ（好ましくは１８ｍｍφ）以下のＲＦＩＤタグを内蔵できるものが多い。そのため、多様な形状や大きさのＲＦＩＤタグを用意する必要が無くなり、ＲＦＩＤタグの製造管理や在庫管理等を単純化することができる。
【００３２】
そして、ＲＦＩＤタグを、ＩＣチップを基板に設けた貫通穴に嵌め込むと共に、アンテナとなる導電性線材を基板の外周側端面に巻き付けてアンテナ部を形成すると、このＲＦＩＤタグの厚みを薄くでき、凹凸も殆ど無くすことができる。その上、ＩＣチップやアンテナ部を基板に接着する必要がなくなるので手間が省ける。また、押圧されても基板で押圧力に対抗できるので破損し難い。
【００３３】
また、本発明係わる商品管理方法によれば、ＲＦＩＤタグは糸などに取り付ける部分に設けられてるため、デザインタグと呼ばれるような現在使用している表示札の仕様を変更することなく、商品にＲＦＩＤタグを随伴させることができ、ＲＦＩＤタグのデータの出入力を利用した商品管理を行うことができる。
【発明を実施するための最良の形態】
【００３４】
以下、本発明に係る実施の形態のブランド表示部材について、図面を参照しながら説明する。
【００３５】
図６及び図７に示すように、この糸止め部材４は、商品に取り付ける表示札２を吊り下げる糸や紐などの糸状体３の中間に配置するブランドを表示する部材であり、図１に示すように、この糸止め部材４は、基部４ａにＦＲＩＣタグ４ｂを埋め込み、その上からブランドを表示したシール４ｃを貼り付けて構成される。図６は糸状体３をループ状に形成しているが、図７では２本の糸状体３の先端に係合雄部３ａと係合雌部３ｂがそれぞれ設けられており、これらの係合により、ループを形成する。
【００３６】
そして、図２〜図５に示すように、このＦＲＩＣタグ４ｂは、基板４１とＩＣチップ４２と、アンテナ部となるコイル銅線（導電性線材）４３と保護シール４４を有して形成される。その大きさは２５ｍｍφ以下、好ましくは１８ｍｍφ以下、例えば、１６ｍｍφの円内に納まるように形成される。
【００３７】
この基板４１は、２５ｍｍφ〜１０ｍｍφ程度、厚み２ｍｍ〜１ｍｍ程度で、ポリエチレン、ポリプロピレン、ポリエステル、塩化ビニール等の合成樹脂や紙類などで一定の平面状態を保つ厚さで形成され、略中央部に、貫通穴が設けられ、ＩＣチップ４２が嵌め込まれる。
【００３８】
ＩＣチップ４２は、３ｍｍ角以下、厚み１ｍｍ以下で、商品番号等物品の管理や物流に必要な事項等を記憶する記憶回路やアンテナ部からエネルギーを受ける回路や送受信回路等を有して構成され、各種データの出入力と記憶とを行う。
【００３９】
また、コイル銅線４３は、基板４１の外周側端面に巻き付けて形成され、アンテナ部となる。このアンテナ部のコイルの大きさにより、データ通信可能な範囲が決まるが、外径が２０ｍｍφ程度であると、データ通信可能な範囲は１０〜２０ｃｍ程度まで拡がる。この範囲であれば、レジなどで商品情報を得たり、商品展示の際に商品情報を非接触で得るのに支障を来さない。
【００４０】
そして、保護シール４４は、ポリエチレン、ポリプロピレン、ポリエチレンテレフタレート、塩化ビニール等の合成樹脂製のラミネートフィルム等で形成され、図５に示すように、基板４１とＩＣチップ４２と、アンテナ部となるコイル銅線４３からなる円盤の両面に貼り付けて、これらを固定すると共に保護する。
【００４１】
このＦＲＩＣタグ４ｂの構成により、厚みをＩＣチップ４２の厚みかあるいはアンテナとなるコイル銅線４３の太さにすることができる。その上、ＩＣチップ４２やアンテナ部４３を基板４１に接着する必要がなくなるので手間が省ける。
【００４２】
また、基板４１の厚さをＩＣチップ４２の厚さにし、コイル銅線４３で形成したアンテナ部の厚みも基板４１の厚さ以下にすることにより、凹凸が殆ど無くなるので、視覚的に平面性が保たれるだけでなく、手触り感でも凹凸を感じなくなる。特に、ＩＣチップ４２とアンテナとを連結する電導線４３ａを基板４１に設けた凹部４１ａに配置することにより、より平面性を向上できる。
【００４３】
その上、この構成によれば、ＩＣチップ４２やアンテナ部４３を基板１に接着する必要がなくなるので手間が省ける。
【００４４】
また、基板４１の形状及びＦＲＩＤタグ４ｂの形状は、平面視では、通常は円形に形成して、これをさまざまなな形状の糸止め部材４に適用する。これにより、多様な形状や大きさのＲＦＩＤタグを用意する必要が無くなり、ＲＦＩＤタグの製造管理や在庫管理等を単純化することができる。
【００４５】
しかし、必ずしも、基板４１の形状及びＦＲＩＤタグ４ｂの形状は、円形に限定するものではなく、楕円形、正方形、長方形、多角形、その他の形状にすることができ、必要に応じて、糸止め部材４の形状に合わせて形成することもできる。
【００４６】
なお、上記のＦＲＩＣタグ４ｂの構成とは別の構成としては、アルミ等の金属箔をフォトエッチングやレジスト印刷後のエッチングにより形成したアンテナパターンを用いた構成がある。また、導電性インクを使用してオフセット、グラビア、シルクスクリーン印刷などによって印刷して構成してもよい。この場合にはコイル銅線４３を巻き付ける手間を省略できるが、アンテナパターンが円盤の表面に形成されるので、押圧で断線等のおそれが生じる。
【００４７】
この糸止め部材４は、図１、図６、図７に示すような円形のみならず、図８や図９に示すように、長方形形状や八角形形状に形成することもでき、その他の、楕円形、正方形、多角形等様々な形状に形成することができる。そして、大きいもので、２５ｍｍφ程度、厚み５ｍｍ程度に形成される。
【００４８】
そして、この糸止め部材４の表示札２を吊り下げる糸状体３への固定は、糸状体３を固定した状態で型成型されたり、成型後の糸止め部材４を開いて、内部の糸止め部に糸状体３を掛けてから糸止め部材４を閉じて糸状体３を固定したりする。
【００４９】
そして、商品がレジにおいてレジ作業の対象となると、レジに備えたデータ読取機から所定の周波数の電波が、糸止め部材４のＲＦＩＤタグ４ｂのアンテナ部４３に照射されるとＩＣチップ４２内の共振回路がこの電波に共振してそのエネルギーを吸収し、動力用の電気を発生させる。一方、電波から得た情報を基にＩＣチップ４２は記憶部とのデータの出入力を行う。データ読取機からＩＣチップ４２に入力されたデータは記憶部に入り記憶され、電波からの情報で要求されたデータは記憶部から発信部に入り、外部に発信される。この発信されたデータはデータ読取機に受信され、ＲＦＩＤタグ４ｂ側のデータがレジ側に入力される。また、必要に応じて、レジ側のデータ書込機からデータが送信され、レジ作業を経たことを示すデータ等がＲＦＩＤタグ４ｂ側に入力される。
【００５０】
また、棚卸し等の在庫管理においては、棚卸し作業時に、この糸止め部材４の近傍にデータ読取機を近づけると、レジ作業と同様に、データ読取機にＲＦＩＤタグ４ｂ側のデータが入力され、また、必要に応じて、データ書込機からデータが送信され、棚卸し作業を経たことを示すデータ等がＲＦＩＤタグ４ｂ側に入力される。
【００５１】
従って、上記の商品管理方法により、デザインタグと呼ばれるような現在使用している表示札２の仕様を変更することなく、商品にＲＦＩＤタグ４ｂを随伴させることができ、ＲＦＩＤタグ４ｂと表示札３の内容を連動させてそのデータの出入力を利用した商品管理を行うことができる。
【図面の簡単な説明】
【００５２】
【図１】本発明の実施の形態の糸止め部材の構成を示す図である。
【図２】本発明の実施の形態のＲＦＩＤタグの構成を示す平面図である。
【図３】図２のＲＦＩＤタグの構成を示す横断面図である。
【図４】図３のＲＦＩＤタグの部分拡大断図である。
【図５】両面に保護シールを張り付けた状態を示す部分拡大断図である。
【図６】糸止め部材と表示札と糸状体の状態を示す図である。
【図７】糸止め部材と表示札と糸状体の状態を示す他の図である。
【図８】長方形形状の糸止め部材を示す図である。
【図９】八角形形状の糸止め部材を示す図である。
【図１０】従来技術の糸状体と表示札を示す図である。
【図１１】従来技術の他の糸状体と表示札を示す図である。
【符号の説明】
【００５３】
２    表示札
３    糸状体
４    糸止め部材
４ａ  基部
４ｂ  ＦＲＩＣタグ
４ｃ  シール
３ａ  係合雄部
３ｂ  係合雌部
４１    基板
４２    ＩＣチップ
４３    コイル銅線
４４    保護シール
【図１】
2006078980.tif 000003
【図２】
2006078980.tif 000004
【図３】
2006078980.tif 000005
【図４】
2006078980.tif 000006
【図５】
2006078980.tif 000007
【図６】
2006078980.tif 000008
【図７】
2006078980.tif 000009
【図８】
2006078980.tif 000010
【図９】
2006078980.tif 000011
【図１０】
2006078980.tif 000012
【図１１】
2006078980.tif 000013